(57)【特許請求の範囲】
【請求項１】
遊技領域が前面に区画形成された遊技盤を前面枠に対して着脱可能とし、
前記前面枠には、前記遊技盤よりも下方の位置から遊技球を発射可能な発射装置と、該発射装置から発射される遊技球を前記遊技盤側へ向けて斜め上方へ誘導する発射レールと、を備え、
前記遊技盤には、前記発射レールにより誘導されてきた遊技球を前記遊技領域へ案内可能な発射通路を備えた遊技機において、
前記発射通路の入口を下方の前記発射レール側へ向けて開放し、
前記前面枠のうち前記発射レールの傾斜上端よりも前記発射通路側には、前記発射通路内を飛翔したが前記遊技領域へ進入せずに前記発射装置側へ戻ってくる遊技球をファール球として回収するファール球回収口を開設し、
前記発射装置は、当該発射装置の基部のうち前記発射通路側に位置する側壁を、前記発射装置へのファール球の侵入を阻止するファール球衝突壁とし、
前記発射レールの上方には、該発射レールの傾斜上端を上方から覆うファール球払い部材を前記ファール球衝突壁の下端から突出した状態で設け、
該ファール球払い部材は、前記ファール球として回収される遊技球が当接可能な上面を前記ファール球回収口側に向けて下り傾斜させたことを特徴とする遊技機。
【請求項２】
前記発射カバーの上面には、前記ファール球回収口側に向けて下り傾斜させた落下球転動路を備え、前記遊技盤の前面を被覆する透明部材保持枠の開放時に前記遊技領域から落下してきた遊技球が前記落下球転動路を転動して前記ファール球回収口へ回収されるように構成されたことを特徴とする請求項１に記載の遊技機。
【請求項３】
前記ファール球払い部材の上面の傾斜下端を、前記発射レールの傾斜上端よりも前記発射通路側に位置させたことを特徴とする請求項１または請求項２に記載の遊技機。
【請求項４】
前記発射レールの延長線と、前記ファール球払い部材のうち前記ファール球回収口側に位置する回収側端部との離間距離を遊技球が１個通過可能な間隔に設定したことを特徴とする請求項３に記載の遊技機。
【請求項５】
前記ファール球払い部材の前記回収側端部を、一側および他側が中央部分よりも前記ファール球回収口側に突出する逆Ｖ字状に形成したことを特徴とする請求項４に記載の遊技機。
【請求項６】
前記ファール球払い部材の前記上面には断面Ｖ字状の誘導溝を当該上面の下り傾斜方向に沿って形成したことを特徴とする請求項４または請求項５に記載の遊技機。
【発明の詳細な説明】
【技術分野】
【０００１】
本発明は、遊技盤を前面枠に対して着脱可能とし、前面枠には発射装置と発射レールとを備え、遊技盤には発射通路を備えたパチンコ遊技機等の遊技機に関する。
【背景技術】
【０００２】
従来の遊技機、例えば、パチンコ遊技機においては、遊技領域が前面に区画形成された遊技盤を前面枠に対して着脱可能とし、前面枠のうち遊技盤よりも下方の位置には、遊技球を発射可能な発射装置と、該発射装置から発射された遊技球を遊技盤側へ向けて誘導する発射レールと、を備え、遊技盤には、発射レールにより誘導されてきた遊技球を遊技領域へ案内可能な発射通路を備えている。また、前面枠のうち発射レールよりも上方の位置には、発射通路内を飛翔したが遊技領域へ進入せずに発射装置側へ戻ってくる遊技球をファール球として回収するファール球回収口を開設している。
【０００３】
そして、遊技領域の区画部材の下部から戻り球案内壁をファール球回収口へ向けて延設し、ファール球が戻り球案内壁に案内されて発射レール側に流下せずにファール球回収口へ誘導されるように構成することが提案されている（例えば、特許文献１参照）。
【先行技術文献】
【特許文献】
【０００４】
【特許文献１】特開平６−１１４１４５号公報
【発明の概要】
【発明が解決しようとする課題】
【０００５】
ところで、上記特許文献に記載のパチンコ遊技機では、戻り球案内壁が発射通路側から発射レール側へ向けて下り傾斜した姿勢になっているため、ファール球が戻り球案内壁に衝突したとしても、ファール球回収口側に弾かれずに発射レール側に弾かれてしまう虞がある。このため、ファール球が発射レール上に戻ってしまう不都合を十分に阻止することができない。
【０００６】
そこで、本発明は、上記の事情に鑑みてなされたものであり、その目的は、ファール球を発射レールから遠ざけることができ、ファール球が発射レール上に戻ってしまう不都合を十分に阻止することができる遊技機を提供しようとするものである。
【課題を解決するための手段】
【０００７】
本発明は、上記目的を達成するために提案されたものであり、請求項１に記載のものは、遊技領域が前面に区画形成された遊技盤を前面枠に対して着脱可能とし、
前記前面枠には、前記遊技盤よりも下方の位置から遊技球を発射可能な発射装置と、該発射装置から発射される遊技球を前記遊技盤側へ向けて斜め上方へ誘導する発射レールと、を備え、
前記遊技盤には、前記発射レールにより誘導されてきた遊技球を前記遊技領域へ案内可能な発射通路を備えた遊技機において、
前記発射通路の入口を下方の前記発射レール側へ向けて開放し、
前記前面枠のうち前記発射レールの傾斜上端よりも前記発射通路側には、前記発射通路内を飛翔したが前記遊技領域へ進入せずに前記発射装置側へ戻ってくる遊技球をファール球として回収するファール球回収口を開設し、
前記発射装置は、当該発射装置の基部のうち前記発射通路側に位置する側壁を、前記発射装置へのファール球の侵入を阻止するファール球衝突壁とし、
前記発射レールの上方には、該発射レールの傾斜上端を上方から覆うファール球払い部材を前記ファール球衝突壁の下端から突出した状態で設け、
該ファール球払い部材は、前記ファール球として回収される遊技球が当接可能な上面を前記ファール球回収口側に向けて下り傾斜させたことを特徴とする遊技機である。
また、請求項２に記載のものは、前記発射カバーの上面には、前記ファール球回収口側に向けて下り傾斜させた落下球転動路を備え、前記遊技盤の前面を被覆する透明部材保持枠の開放時に前記遊技領域から落下してきた遊技球が前記落下球転動路を転動して前記ファール球回収口へ回収されるように構成されたことを特徴とする請求項１に記載の遊技機である。
【０００８】
請求項３に記載のものは、前記ファール球払い部材の上面の傾斜下端を、前記発射レールの傾斜上端よりも前記発射通路側に位置させたことを特徴とする請求項１または請求項２に記載の遊技機である。
【０００９】
請求項４に記載のものは、前記発射レールの延長線と、前記ファール球払い部材のうち前記ファール球回収口側に位置する回収側端部との離間距離を遊技球が１個通過可能な間隔に設定したことを特徴とする請求項３に記載の遊技機である。
【００１０】
請求項５に記載のものは、前記ファール球払い部材の前記回収側端部を、一側および他側が中央部分よりも前記ファール球回収口側に突出する逆Ｖ字状に形成したことを特徴とする請求項４に記載の遊技機である。
【００１１】
請求項６に記載のものは、前記ファール球払い部材の前記上面には断面Ｖ字状の誘導溝を当該上面の下り傾斜方向に沿って形成したことを特徴とする請求項４または請求項５に記載の遊技機である。
【発明の効果】
【００１２】
本発明によれば、以下のような優れた効果を奏する。
すなわち、ファール球払い部材によりファール球を発射レールから遠ざけることができ、ファール球が発射レール上に戻ってしまう不都合、ひいては遊技球を発射装置から１個ずつ発射できなくなる不都合を阻止することができる。さらに、ファール球をファール球回収口へ迅速に誘導することができる。
【図面の簡単な説明】
【００１７】
【図１】パチンコ遊技機の正面図である。
【図２】透明部材保持枠を開放して遊技盤を外したパチンコ遊技機の斜視図である。
【図３】上皿の後側の構成を示す部分斜視図である。
【図４】ファール球の流れを示す説明図である。
【図５】前面枠本体の下部の後側の構成の説明図である。
【図６】透明部材保持枠の下縁からの不正部材の侵入を防ぐ構成の説明図であり、（ａ）は透明部材保持枠の下部の後側の部分斜視図、（ｂ）は下皿とファール流路形成パネルとの境界部分を示す部分斜視図である。
【図７】ファール流路形成パネルの説明図であり、（ａ）は前方から見た斜視図、（ｂ）は後方から見た斜視図である。
【図８】球受部材の断面図である。
【図９】球受部材および下皿の位置関係を示すパチンコ遊技機の部分側面図である。
【図１０】パチンコ遊技機の下部の概略断面図である。
【図１１】（ａ）はファール球払い部材の作用の説明図、（ｂ）は発射レールの傾斜上端部分とファール球払い部材との部分拡大図である。
【図１２】発射レールの延長線上から見たファール球払い部材と発射レールとの位置関係を示す説明図である。
【図１３】球受段差部を遊技球の半径よりも高くした球受部材の断面図である。
【図１４】球受段差部を円弧状に形成した球受部材の平面図である。
【図１５】飛び出し防止壁の上端部に上方移動規制部を備えた球受部材の部分拡大断面図である。
【図１６】ファール球払い部材に誘導溝を形成した発射装置の説明図であり、（ａ）は部分斜視図、（ｂ）は発射装置の上部の構成の説明図である。
【図１７】発射レールの延長線上から見た誘導溝付きのファール球払い部材と発射レールとの位置関係を示す説明図である。
【図１８】発射カムとファール球払い部材とを連動する機構を備えた発射装置の説明図であり、（ａ）はファール球払い部材を遊技球発射許容状態とした説明図、（ｂ）はファール球払い部材をファール球戻り阻止状態とした説明図である。
【図１９】発射杵とファール球払い部材とを連動する機構を備えた発射装置の説明図であり、（ａ）はファール球払い部材を遊技球発射許容状態とした説明図、（ｂ）はファール球払い部材をファール球戻り阻止状態とした説明図である。
【発明を実施するための形態】
【００１８】
以下、代表的な遊技機であるパチンコ遊技機を例に挙げて本発明の実施の形態を図面に基づき説明する。
パチンコ遊技機１は、図１および図２に示すように、矩形状の機枠（外枠）２に前面枠（内枠）３を開閉可能な状態で軸着し、該前面枠３のベースとなる前面枠本体４の前面側（表面側）には、円形状の遊技領域５が前面に区画形成された遊技盤６を着脱可能とし、該遊技盤６のうち遊技領域５の側方（図２中、左側方）には円弧状の発射通路７を備えている。また、前面枠本体４の前面のうち発射通路７寄りに位置する一側（図１中、左側）には透明部材保持枠９を開閉可能な状態で軸着し、該透明部材保持枠９の上寄りの位置には透視可能な透明部材１０を保持し、透明部材保持枠９の下部の前面には、遊技球を貯留可能な上皿１１を備えている。そして、透明部材保持枠９を閉じて前面枠本体４の前方に透明部材保持枠９を重合すると、遊技盤６の前面が透明部材保持枠９により被覆されるとともに、透明部材１０が遊技領域５の前方に配置され、透明部材１０を通して遊技領域５を前方から視認できるように構成されている。また、前面枠本体４のうち透明部材保持枠９の下方に位置する下部には下皿ユニット１２を備え、該下皿ユニット１２の左右方向の中央部にはスピーカー１３を備え、該スピーカー１３の左側方（言い換えると、透明部材保持枠９の軸着側に位置する左側方）には下皿１４を備えて上皿１１の下方（詳しくは直下）に位置させ、スピーカー１３の右側方（言い換えると、透明部材保持枠９の開放側に位置する右側方）、発射装置１５（図２および図３参照）を操作するための発射操作ユニット（発射操作ハンドル）１６を備えている。
【００１９】
前面枠本体４は、大きな矩形状の開口を上寄りに開設した合成樹脂製枠体であり、額縁状の遊技盤収納フレーム２０を備え、該遊技盤収納フレーム２０内に遊技盤６を着脱可能な状態で収納している。また、遊技盤収納フレーム２０の下方にはフレームボード部２１を備え、該フレームボード部２１の上端には遊技盤載置部２２を設け、該遊技盤載置部２２に遊技盤６の下端を載置している。さらに、図２および図３に示すように、フレームボード部２１の前面のうち透明部材保持枠９の開放側（図３中、右側）には、遊技球を遊技領域５へ向けて発射する発射装置１５を備え、該発射装置１５には、当該発射装置１５から発射される遊技球を遊技盤６側へ向けて斜め上方へ誘導する発射レール２３を発射通路７の入口７ａ（下端）側に向けて上り傾斜した状態で備えている。なお、遊技盤６においては、発射通路７の入口７ａを下方の発射レール２３側へ向けて開放し、発射レール２３による誘導されてきた遊技球を発射通路７に通して遊技領域５へ案内可能としている。また、発射装置１５については、後で詳細に説明する。
【００２０】
さらに、フレームボード部２１の前面のうち透明部材保持枠９の軸着側（図３中、左側）には、ファール流路形成パネル２５を止着してファール流路２６を左右に蛇行する状態（図４参照）で区画形成している。また、図４に示すように、ファール流路２６の入口となる第１上流開口２６ａおよび第２上流開口２６ｂを発射装置１５と遊技盤６の一側寄りの下縁部（図４中、左側下縁部）との間、言い換えると発射レール２３の傾斜上端よりも発射通路７側に臨ませて開設している。そして、発射装置１５から発射されて発射通路７内を飛翔したが遊技領域５に進入せずに発射装置１５側へ戻ってきた遊技球をファール球とし、このファール球を第１上流開口２６ａおよび第２上流開口２６ｂからファール流路２６へ回収可能としている。さらに、フレームボード部２１の下部のうち発射装置１５とファール流路２６（第１上流開口２６ａおよび第２上流開口２６ｂ）との間に位置する箇所、言い換えると発射レール２３の傾斜上端よりも発射通路７側であってファール流路２６よりも発射装置１５側に位置する箇所にはファール球回収口２７を開設し、ファール流路２６を越えて発射装置１５側まで戻ってきた遊技球をファール球として回収可能としている。なお、ファール流路形成パネル２５の構成については、後で詳細に説明する。
【００２１】
そして、図５に示すように、前面枠本体４の下部の後側（裏側）のうち下皿１４の後方には、下皿１４に連通する下皿連通路３０を前方の下皿１４側へ向けて下り傾斜させて備え、該下皿連通路３０の上流部の一側（図５中、透明部材保持枠９の軸着側となる右側）とファール流路２６の下流端（出口）２６ｃとを第１回収連通路３１で連通し、他側（図５中、発射装置１５側となる左側）とファール球回収口２７とを第２回収連通路３２で連通している。したがって、ファール流路２６に流入した遊技球（ファール球）は、第１回収連通路３１および下皿連通路３０を通って下皿１４に排出され、ファール球回収口２７を通った遊技球（ファール球）は、第２回収連通路３２および下皿連通路３０を通って下皿１４に排出されるように構成されている。
【００２２】
また、前面枠本体４の後面側の一側、具体的には透明部材保持枠９の軸着側（図２中、左側）には、遊技球を排出可能な球払出機構３４を備え、フレームボード部２１のうちファール流路２６の上流開口２６ａ，２６ｂと透明部材保持枠９の軸着箇所との間には球払出口３５を開設し、該球払出口３５と球払出機構３４とを球払出流路３６（図５参照）により連通し、遊技球を貸球や賞球として球払出機構３４から球払出流路３６に通して球払出口３５へ払い出せるように構成されている。さらに、図６（ａ）に示すように、透明部材保持枠９の後面（裏面）には筒状の球誘導樋３７を上皿１１の後側から後方の前面枠本体４側へ向けて突出し、球誘導樋３７内には貯留誘導路３８を透明部材保持枠９の後面側から前面側（上皿１１側）へ向けて下り傾斜した姿勢で区画形成し、貯留誘導路３８の出口を上皿１１内へ連通している。そして、透明部材保持枠９を前面枠本体４に対して閉じると、貯留誘導路３８の入口と球払出口３５とが連結し、遊技球を球払出流路３６から貯留誘導路３８へ流下させて上皿１１内に誘導可能としている。
【００２３】
さらに、図５に示すように、フレームボード部２１の裏側には、球払出口３５と下皿連通路３０とを接続するオーバーフロー流路４０を設け、該オーバーフロー流路４０の下端を下皿連通路３０の上流端の上部に連通している。また、球払出口３５の下縁部には棚部４１を後方へ向けて突設し、該棚部４１の一側（図５中、右側）にはオーバーフロー堰４２を上向きに屈曲した状態で形成し、オーバーフロー堰４２の横の空部をオーバーフロー流路４０の上流入口としている。したがって、球払出機構３４が遊技球を排出して球払出流路３６へ流下させると、この遊技球は棚部４１上に落下し、球払出口３５および貯留誘導路３８を通って上皿１１に排出される。そして、上皿１１が満杯となり遊技球が球払出口３５から棚部４１上まで溜まると、オーバーフロー堰４２を乗り越えてオーバーフロー流路４０内を流下し、下皿連通路３０を介して下皿１４に排出される。
【００２４】
また、透明部材保持枠９の下縁部と下皿ユニット１２との境界には、ピアノ線等の不正部材の侵入を阻止する構成を備えている。具体的に説明すると、図６（ｂ）に示すように、下皿ユニット１２の上縁部には横長な不正侵入阻止溝４４を前面枠本体４の前方（透明部材保持枠９側）へ向けて開放した状態で延設している。さらに、図６（ａ）に示すように、透明部材保持枠９の下縁部（詳しくはファール流路形成パネル２５の前方に位置する下縁部）には、不正侵入阻止溝４４内に嵌合可能な厚さの横長な不正侵入阻止突条４５を透明部材保持枠９の後方（前面枠本体４側）へ向けて突設している。そして、このような構成の不正侵入阻止溝４４および不正侵入阻止突条４５を備えて透明部材保持枠９を前面枠本体４に対して閉成すると、不正侵入阻止突条４５が不正侵入阻止溝４４に嵌合する。この結果、不正部材を透明部材保持枠９の下縁部と下皿ユニット１２の上縁部との間に通してパチンコ遊技機１内へ挿入することが不能となるように構成されている（図１０参照）。
【００２５】
次に、ファール流路形成パネル２５について説明する。
ファール流路形成パネル２５は、図７に示すように、当該ファール流路形成パネル２５の本体となる略三角形状のベースパネル４８をフレームボード部２１に対して平行となる姿勢で備え、該ベースパネル４８の発射装置１５側（図７（ｂ）中、左側）の裏面に球誘導壁４９などの複数の壁を後方のフレームボード部２１側へ向けて突設してファール流路２６を区画形成している。また、第１上流開口２６ａをファール流路形成パネル２５の左右方向の中央部分に上方へ開放した状態で開設するとともに、第２上流開口２６ｂを第１上流開口２６ａよりも下方且つ発射装置１５寄りの位置に開設し、第１上流開口２６ａと第２上流開口２６ｂとの間には球誘導壁４９をファール流路２６の外方へ向けて湾曲する状態で備え、ファール球が第１上流開口２６ａまたは第２上流開口２６ｂ以外の場所からファール流路２６に進入することを球誘導壁４９により阻止するとともに、ファール流路形成パネル２５の上方から落下してきた遊技球の落下勢を球誘導壁４９に衝突させて弱めるように構成されている。
【００２６】
そして、ベースパネル４８のうち球払出口３５の前方に位置する箇所には矩形状のパネル切欠部５０を球払出口３５よりも広い横幅で大きく切り欠いて球払出口３５とパネル切欠部５０とを前後に並べて連通し、パネル切欠部５０のうち球払出口３５の下縁よりも下方に位置する下縁部には球受部材５１をファール流路形成パネル２５の前方に向けて延設している。また、ベースパネル４８の前面の下縁部にはパネル側不正阻止壁５２をファール流路形成パネル２５の前方に向けて突設している（図７（ａ）参照）。
【００２７】
球受部材５１は、球払出口３５よりも下方の位置に設けられた浅いトレイ状の部材であり、当該球受部材５１の上面には、球払出口３５から払い出されて落下した遊技球を受け止め可能な球受面５４を形成し、該球受面５４には、前側部分を後側部分よりも高くして（言い換えると、球払出口３５から遠い位置を近い位置よりも高くして）球受段差部５５を形成するとともに、球受面５４の全体を球受部材５１の前側（透明部材保持枠９側）から後側（パネル切欠部５０側）に向けて次第に下り傾斜する状態に設定し、球受面５４の傾斜下端をパネル切欠部５０の下縁部と同じ高さにして、球受面５４の傾斜に沿って転動してきた遊技球がパネル切欠部５０を通ってベースパネル４８の裏側へ移動できるように構成されている。また、図７および図８に示すように、球受部材５１の外縁、詳しくは球受部材５１の前縁および左右両側縁には、遊技球の半径以上の高さを有する飛び出し防止壁５６を立設し、球受部材５１の前縁また左右両側縁に到達した遊技球を飛び出し防止壁５６に係合して、遊技球の球受部材５１からの飛び出しを防止可能としている。
【００２８】
さらに、ベースパネル４８の裏面のうちパネル切欠部５０の下方には、球回収誘導路５７を球受部材５１側から発射装置１５側へ向けて下り傾斜した状態で形成し、該球回収誘導路５７の傾斜下端をファール流路２６の途中に合流している。したがって、球受面５４を転動してパネル切欠部５０を通過した遊技球が球回収誘導路５７を通ってファール流路２６へ誘導され、さらには下皿１４へ排出されるようになっている。
【００２９】
このような構成のファール流路形成パネル２５が止着された前面枠本体４においては、図３および図９に示すように、下皿１４を球受部材５１の前方且つ球受部材５１よりも低い位置に配置している。また、図１０に示すように、ファール流路形成パネル２５のパネル側不正阻止壁５２が下皿ユニット１２と前面枠本体４との間の隙間を不正侵入阻止溝４４の上方から被覆している。したがって、不正行為者によりピアノ線等の不正部材が前面枠本体４と下皿ユニット１２（詳しくは下皿ユニット１２の側部や下部）との隙間から挿入されたとしても、不正部材の先端が前面枠本体４の内部に侵入すること、ひいては遊技盤６に到達することをパネル側不正阻止壁５２により阻止することができる。
【００３０】
なお、透明部材保持枠９のうち閉成状態において球受部材５１に対向する箇所、具体的には球誘導樋３７の直下には、球受部材５１を透明部材保持枠９の後面側から挿入して収容可能な球受収容空部５９を透明部材保持枠９の前面側に凹ませて形成している（図３および図６（ａ）参照）。そして、図１０に示すように、透明部材保持枠９を閉成した状態では、ファール流路形成パネル２５が止着された前面枠本体４に対して透明部材保持枠９を閉成すると、図１０に示すように、球受収容空部５９に球受部材５１を収容する。このため、球受部材５１が透明部材保持枠９の後面（裏面）につかえることがなく、球受部材５１がファール流路形成パネル２５から前方に突出していたとしても透明部材保持枠９の閉成に支障を来たすことがない。
【００３１】
次に、発射装置１５について説明する。
発射装置１５は、上皿１１に貯留された遊技球を遊技盤６よりも下方の位置から遊技領域５に向けて１個ずつ発射可能な装置である。詳しくは、図１１（ａ）に示すように、平板状の発射ベース６１ａと浅い箱状の発射カバー６１ｂとを前後に重ねて当該発射装置１５の基部となる発射ケース６１を構成し、該発射ケース６１（詳しくは発射ケース６１の前側部となる発射カバー６１ｂ）のうち発射通路７側に向いた側面の下側には球発射口６２を遊技球が通過可能な大きさで開設している。また、発射ケース６１内には発射レール２３を球発射口６２へ向けて下り傾斜した姿勢で止着し、発射ケース６１内のうち発射レール２３を挟んで発射通路７とは反対側には、発射レール２３上の遊技球をばね（図示せず）の付勢力によって弾発する縦長な発射杵６４を軸着している。さらに、発射杵６４の回動中心よりも発射通路７側には、発射杵６４をばねの付勢力に抗して回転駆動する発射駆動機構６５を備え、該発射駆動機構６５と発射レール２３との間には、発射杵６４の動きと連動して上皿１１に貯留された遊技球を発射レール２３上に供給する球送り部材６６を備えている。
【００３２】
発射レール２３は、球発射口６２に当該発射レール２３の傾斜上端を臨ませ、発射ケース６１内に止着された発射待機ストッパー６８の下方に当該発射レール２３の傾斜下端を配置して遊技球発射位置Ｓとし、球送り部材６６から送られてきた遊技球を発射レール２３の傾斜下端と発射待機ストッパー６８との間に挟持して遊技球発射位置Ｓに待機させ、遊技球発射位置Ｓにて待機中の遊技球を発射杵６４で弾発するように構成されている。また、発射レール２３の傾斜上面には断面略Ｖ字状のレール溝２３ａを発射レール２３の長手方向（発射方向）に沿って形成し（図１１（ｂ）および図１２参照）、遊技球発射位置Ｓから発射杵６４により弾発された遊技球をレール溝２３ａにより発射レール２３の延在方向（発射方向）とは異なる方向へブレずにガイドできるように構成されている。
【００３３】
発射杵６４は、発射レール２３の遊技球発射位置Ｓよりも上方の位置に回動軸６４ａを発射装置１５の前後方向に沿って延在する姿勢で設け、該回動軸６４ａにより発射ケース６１に対して回動自在な状態で軸着され、回動軸６４ａの前端からアーム６４ｂを下方に向けて延設し、該アーム６４ｂの下端に杵先６４ｃを発射レール２３側へ向けて設けてある。そして、杵先６４ｃを回動軸６４ａの周りに回動可能とし、発射レール２３の傾斜下端に向かって時計回りに回動すると、杵先６４ｃを発射方向へ移動して遊技球発射位置Ｓに臨ませることができる。また、発射杵６４のうち回動軸６４ａよりも上方には杵回動ストッパー６４ｄを上方へ向けて延設し、回動軸６４ａを挟んで遊技球発射位置Ｓとは反対側に配設された第１回動規制部７１に杵回動ストッパー６４ｄを当接するとともに、遊技球発射位置Ｓとアーム６４ｂとの間に配設された第２回動規制部７２にアーム６４ｂを当接して発射杵６４の回動範囲を規制し、杵先６４ｃが遊技球発射位置Ｓよりも先方に移動しないように構成されている。また、回動軸６４ａのうちアーム６４ｂと杵回動ストッパー６４ｄとの間の位置から杵カムフォロワ６４ｅを発射駆動機構６５側に向けて延設している。なお、各回動規制部７１，７２は、衝撃を吸収し易い材料、例えばゴム材等の弾性体で形成されている。
【００３４】
発射駆動機構６５は、発射駆動源となる発射モータ７３（図１２参照）を発射ケース６１の裏側に備え、該発射モータ７３のうち発射ケース６１の内部に突出する出力軸７３ａの前端には、杵カムフォロワ６４ｅを押圧する平板状の発射カム７４を止着し、発射モータ７３の駆動により、発射カム７４を発射装置１５の正面から見て時計方向（図１１（ａ）中、矢印Ｘで示す方向）へ回転駆動するように構成されている。また、発射カム７４を発射装置１５の正面から見て略勾玉状に形成し、発射カム７４の外周面であるカム７４ａと出力軸７３ａとの距離が反時計回りに沿って次第に増大する状態に設定している。そして、カム７４ａに杵カムフォロワ６４ｅを当接したまま発射カム７４が時計方向Ｘへ回転すると、杵カムフォロワ６４ｅを反時計回りに回動させて、発射杵６４の杵先６４ｃを遊技球発射位置Ｓから後退させることができる。そして、杵カムフォロワ６４ｅがカム７４ａの最高点（カム７４ａと出力軸７３ａとの距離が最大になる箇所）に到達すると、回動する発射カム７４は、この杵カムフォロワ６４ｅを一旦カム７４ａから外し、ばねの付勢力により発射杵６４を戻り回動させ、杵先６４ｃを遊技球発射位置Ｓに突入させる。引き続き発射カム７４が回動すると、戻り回動した発射杵６４の杵カムフォロワ６４ｅと発射カム７４とが再び当接してカム７４ａが杵カムフォロワ６４ｅを再び押圧し始めて、次の発射動作の準備を行う。
【００３５】
そして、発射装置１５は、発射ケース６１（発射カバー６１ｂ）のうち球発射口６２の上方に位置する側壁（発射通路７側に位置する側壁）をファール球衝突壁７６とし、該ファール球衝突壁７６の下端（言い換えると球発射口６２の開口上縁）には舌片状のファール球払い部材７７をファール球回収口２７側へ向けて下り傾斜する状態で突設して発射レール２３の上方に配置し、該ファール球払い部材７７により発射レール２３の傾斜上端を上方から覆っている。また、ファール球払い部材７７の上面には、ファール球として回収される遊技球（詳しくは、発射通路７からファール流路２６の第１上流開口２６ａおよび第２上流開口２６ｂを越えて発射装置１５側まで戻ってきた遊技球）を当接可能とし、この上面をファール球回収口２７側（図１１（ａ）中、左側）に向けて下り傾斜させている。そして、図１１（ｂ）に示すように、ファール球払い部材７７の上面の傾斜下端を発射レール２３の傾斜上端（詳しくはレール溝２３ａのうち球発射口６２側に位置する上端）よりも発射通路７側に距離ｄ１ずらして位置させ、さらには、図１１（ｂ）および図１２に示すように、発射レール２３の延長線（詳しくは、レール溝２３ａの谷部分から発射通路７側に延ばした延長線）ＲＬと、ファール球回収口２７側に位置する回収側端部との離間距離ｄ２を遊技球が１個通過可能な間隔（具体的には、遊技球の直径よりも広く且つ遊技球の直径の１．５倍よりも狭い間隔）に設定している。
【００３６】
次に、パチンコ遊技機１の作用、特に球受部材５１およびファール球払い部材７７の作用について説明する。
まず、球受部材５１の作用について説明する。上記した構成を備えたパチンコ遊技機１において、遊技球が上皿１１を満杯にするとともに貯留誘導路３８内および球払出口３５内に停留し、この状態で透明部材保持枠９を開放すると、球誘導樋３７と球払出口３５とが離間し、球払出口３５内の遊技球が球払出口３５の前方に飛び出す。この飛び出した遊技球は、パネル切欠部５０を通過せずに球回収誘導路５７に落下することもあるが、球回収誘導路５７の上方を越えてパネル切欠部５０を通過して球受部材５１の球受面５４上に落下し、この落下勢により球受部材５１の前縁部に向かって転動する。
【００３７】
このとき、球受面５４には、球払出口３５から遠い位置（球受面５４の前側部分）を近い位置（球受面５４の後側部分）よりも高くして球受段差部５５を形成し、球受面５４の全体を球受部材５１の前側（透明部材保持枠９側）から後側（パネル切欠部５０側）に向けて次第に下り傾斜させているので、球受面５４上を転動する遊技球を球受段差部５５に衝突させたり球受面５４の下り傾斜方向に誘導したりして、この遊技球の転動勢を弱めたり転動方向を変えたりすることができる。したがって、遊技球が球受部材５１から落下してしまう不都合を抑制することができる。また、球受部材５１の外縁には、遊技球の球受部材５１からの飛び出しを防止する飛び出し防止壁５６を遊技球の半径以上の高さで立設しているので、転動勢が弱められたにも拘らず遊技球が球受部材５１の外縁に到達したとしても、この遊技球が球受部材５１から落下することを一層抑制することができる。そして、球受部材５１からの落下を阻止されたり球受段差部５５に衝突したりした遊技球は、球受面５４の下り傾斜方向に沿って転動して球受面５４の傾斜下端に到達した後、パネル切欠部５０を通って球回収誘導路５７の上流部に流入し、さらに、球回収誘導路５７からファール流路２６へ流下して下皿１４に排出される。この結果、球払出口３５の下方に球受部材５１を設ければ、球払出口３５を開閉する開閉シャッター等の複雑な構造を必要とせずに球払出口３５内の遊技球の散乱（具体的には、パチンコ遊技機１を設置している遊技店の床に球払出口３５内の遊技球が落下して散乱すること）を阻止することができる。
【００３８】
また、球払出口３５から飛び出した遊技球が球受部材５１に落下した後に球受面５４で跳ねて飛び出し防止壁５６を飛び越えたとしても、この遊技球がパチンコ遊技機１の下方（例えば遊技店の床）に落下することを、透明部材保持枠９または下皿１４により阻止することができる。具体的に説明すると、透明部材保持枠９を小さく開いて球受部材５１が球受収容空部５９から外れたが、透明部材保持枠９が球受部材５１の前方に位置する状態においては、球受面５４で跳ねた遊技球が飛び出し防止壁５６を越えて球受部材５１の前方に飛び出していくと、この遊技球は、透明部材保持枠９の後面のうち球受収容空部５９の下方に位置する箇所に衝突する。そして、後方の前面枠本体４側に跳ね返り、透明部材保持枠９の下方に位置する下皿１４内に落下する。また、透明部材保持枠９を大きく開いて、球受部材５１が球受収容空部５９から外れるとともに透明部材保持枠９が球受部材５１の前方から側方へ外れた状態においては、球受面５４で跳ねた遊技球が飛び出し防止壁５６を越えて球受部材５１の前方に飛んでいくと、この遊技球は、図９に示すように、下皿１４内に直接落下する。したがって、球受部材５１から遊技球が落下したとしても、この落下した遊技球を下皿１４により受けることができ、遊技球がパチンコ遊技機１の下方に散乱する不都合をさらに抑制することができる。
【００３９】
次に、ファール球払い部材７７の作用について説明する。
遊技者が発射操作ユニット１６を操作して発射装置１５が遊技球を弱い発射勢で発射した場合には、この遊技球が発射通路７の上端まで到達せずに発射通路７を逆流（落下）してファール球となる。ファール球は、ファール流路形成パネル２５の上部へ直接落下したり、あるいは、図１１（ａ）に示すように、ファール球の次に発射装置１５から発射された後続の遊技球に弾かれたりする。このとき、ファール球を弾いた後続の遊技球が発射通路７へ進入せずにファール球となって発射装置１５側に跳ね返ったり、発射通路７から戻ってきた先発のファール球がファール流路２６の第１上流開口２６ａおよび第２上流開口２６ｂの開口縁や球誘導壁４９に衝突して発射装置１５に向かって跳ねたりすることがある。
【００４０】
しかしながら、発射装置１５の側部にはファール球衝突壁７６およびファール球払い部材７７を備えているので、発射装置１５側に戻ってきたファール球が発射装置１５内に侵入してしまう不都合を避けることができる。具体的には、ファール球が発射装置１５の側部のうち球発射口６２よりも上方に向かって跳ねてきた場合には、発射装置１５は、このファール球をファール球衝突壁７６に衝突させて発射装置１５内への侵入を阻止するとともに、下方の球発射口６２へ向けて落下させる（図１１（ａ）参照）。ここで、図１１（ｂ）に示すように、ファール球払い部材７７の上面の傾斜下端を、前記発射レール２３の傾斜上端よりも前記発射通路７側に位置させているので、ファール球が球衝突壁に沿って球発射口６２の直上（言い換えると発射レール２３の傾斜上端の直上）から落下してきたとしても、この落下してきたファール球が球発射口６２を通過して発射レール２３上に戻る不都合、ひいては遊技球を発射装置１５から１個ずつ発射できなくなる不都合（正常発射できなくなる不都合）を阻止することができる。また、ファール球払い部材７７のうちファール球（ファール球として回収される遊技球）が当接可能な上面をファール球回収口２７側に向けて下り傾斜させているので、ファール球払い部材７７によりファール球を発射レール２３（球発射口６２）から遠ざけることができ、ファール球が発射レール２３上に戻ってしまう不都合を十分に阻止することができる。さらに、ファール球をファール球回収口２７へ迅速に誘導することができ、ひいては第２回収連通路３２および下皿連通路３０に通して下皿１４へ迅速に排出することができる。
【００４１】
また、ファール球が球発射口６２に向かって跳ねてきた場合には、発射レール２３の延長線ＲＬと、ファール球払い部材７７の回収側端部との離間距離ｄ２を遊技球が１個通過可能な間隔に設定しているので、ファール球が発射レール２３の延在方向に沿って発射装置１５側に戻ってきたとしても、移動方向が不安定なファール球がファール球払い部材７７の回収側端部や発射レール２３の傾斜上端に衝突し易くなる。したがって、ファール球が発射レール２３上に戻ることを阻止し易い。また、ファール球の発射レール２３上への戻りを阻止するファール球払い部材７７が遊技球の発射に支障を来たす構成となってしまう不都合を避けることができる。
【００４２】
ところで、上記実施形態では、球受段差部５５の高さを遊技球の半径よりも低い寸法に設定し、球受段差部５５を球払出流路３６の下流端（球払出口３５）の開放方向とは直交する方向（パチンコ遊技機１の正面から見て左右方向）に延在させたが、本発明はこれに限定されない。例えば、図１３に示す変形例のように、球受段差部５５の高さを遊技球の半径以上の寸法に設定すれば、球払出口３５から落下した遊技球が球受面５４を勢いよく球受部材５１の前側へ向けて転動し始めたとしても、遊技球のうち転動方向に向いた部分（前端部）を球受段差部５５へ係合して遊技球が球受部材５１の前側に移動すること、ひいては球受部材５１からこぼれ落ちることを十分に防ぐことができる。
【００４３】
また、図１４に示すように、球受段差部５５の高さ設定の高低に拘らず、球受段差部５５を、当該球受段差部５５の左右方向の中央部分が左右両端部よりも球払出口３５から遠くなる円弧状に湾曲して形成して、球受段差部５５の左右両側部が球受部材５１の前後方向に沿って延在する状態に設定してもよい。このような構成の球受段差部５５を球受部材５１に備えた場合には、遊技球が球払出口３５から前方へ放出されて球受面５４の左右両側に落下すると、この遊技球は、球受段差部５５に当接して球受段差部５５を乗り越えることを阻止され、さらには円弧状の球受段差部５５に沿って誘導されて球受面５４の後端部に向かう。このようにして、球受段差部５５に衝突した遊技球の転動方向をスムーズに変換することができ、遊技球の球受部材５１からの飛び出しを一層抑制することができる。なお、円弧状の球受段差部５５に誘導された遊技球は、パネル切欠部５０を通過して球回収誘導路５７を流下し、ファール流路２６に流入して下皿１４へ排出される。
【００４４】
ところで、上記実施形態では、飛び出し防止壁５６の上端部には遊技球の移動を規制する構成を備えていないが、本発明はこれに限定されない。例えば、図１５に示す変形例では、飛び出し防止壁５６の上端部に、遊技球の上方への移動を規制する上方移動規制部８０を備えている。具体的に説明すると、上方移動規制部８０は、飛び出し防止壁５６の上端部から球払出口３５側（言い換えると球受面５４の傾斜下端側）に向けて突設され、当該上方移動規制部８０のうち球受面５４に対向する下面と球受面５４との上下方向の離間距離を遊技球の直径よりも広く設定して、飛び出し防止壁５６に当接した遊技球の上方を上方移動規制部８０で覆うように構成されている。さらに、上方移動規制部８０の上面を球受面５４側へ向けて下り傾斜させている。したがって、遊技球が飛び出し防止壁５６に衝突した勢いで上方に跳ねた場合には、この遊技球を上方移動規制部８０の下面に当接して移動（上昇）を規制することができ、遊技球が球受部材５１から飛び出す不都合を防止することができる。また、球受面５４で跳ねた遊技球が上方移動規制部８０の上面に落下してきた場合には、この遊技球を上方移動規制部８０の上面（下り傾斜面）に沿って流下させて球受面５４に誘導することができ、遊技球が球受部材５１から外れることを阻止することができる。
【００４５】
ところで、上記実施形態の発射装置１５には、ファール球の発射装置１５内への侵入を阻止する構成（ファール球衝突壁７６、ファール球払い部材７７）を備えていたが、本発明はこれに限定されない。例えば、図１６に示す変形例における発射装置１５は、ファール球の侵入を阻止する構成の他に、透明部材保持枠９の開放時に遊技領域５から落下してきた遊技球を回収する構成を備えている。具体的には、発射ケース６１の上面をファール球回収口２７側（図１６（ａ）中、左側）に向けて下り傾斜させて落下球転動路８２とし、該落下球転動路８２には断面略Ｖ字状の転動溝８２ａを落下球転動路８２の長手方向に沿って形成している。また、落下球転動路８２のうち透明部材保持枠９側に位置する縁部から平板状の落下球回収受部８３を先端部が遊技盤６（詳しくは遊技領域５を区画する区画部材）よりも前方の透明部材保持枠９側に突出した状態で備え、この落下球回収受部８３を透明部材保持枠９側から転動溝８２ａ側へ向けて下り傾斜させている（図１６（ｂ）参照）。
【００４６】
このような構成の落下球転動路８２および落下球回収受部８３を発射装置１５に備え、透明部材保持枠９を開放したときに遊技球が遊技領域５からこぼれ落ちて下方の発射装置１５に向けて落下すると、この遊技球は、落下球回収受部８３上に到達し、落下球回収受部８３の下り傾斜に沿って転動して落下球転動路８２に流入する。さらに、落下球転動路８２の下り傾斜に沿って転動して発射装置１５の上部から側方へ向けて放出され、ファール球回収口２７に回収されてから下皿１４へ排出される。したがって、透明部材保持枠９の開放時に遊技領域５からこぼれた遊技球が散乱すること（具体的には、パチンコ遊技機１を設置している遊技店の床に球払出口３５内の遊技球が落下して散乱すること）を発射装置１５に備えた構成により阻止することができる。
【００４７】
また、図１６に示す変形例のファール球払い部材７７においては、当該ファール球払い部材７７の回収側端部を一側および他側が中央部分よりもファール球回収口２７側に突出する逆Ｖ字状に形成し、ファール球払い部材７７の上面には断面Ｖ字状の誘導溝７７ａを当該上面の下り傾斜方向に沿って形成している（図１７参照）。これにより、ファール球払い部材７７上に落下した遊技球を誘導溝７７ａに沿ってブレずに転動させることができ、この遊技球を一層迅速にファール球回収口２７へ誘導することができる。そして、発射レール２３の延長線（詳しくは、レール溝２３ａの谷部分から発射通路７側に延ばした延長線）ＲＬと、ファール球払い部材７７の回収側端部（詳しくは、回収側端部のうち球発射口６２側に凹んだ中央部分）との離間距離ｄ２′を遊技球が１個通過可能な間隔（具体的には、遊技球の直径よりも広く且つ遊技球の直径の１．５倍よりも狭い間隔）に設定している。したがって、発射レール２３の延長線ＲＬに沿って発射装置１５側に戻ってきたファール球を、中央部分よりも一側および他側が突出しているファール球払い部材７７の回収側端部に衝突させ易くなり、ファール球が発射レール２３上に侵入してしまう不都合を一層避けることができる。
【００４８】
ところで、上記実施形態および変形例では、ファール球払い部材７７を発射ケース６１（発射カバー６１ｂ）に固定して移動不能としたが、本発明はこれに限定されない。例えば、図１８に示す第２実施形態の発射装置１５、および図１９に示す第３実施形態の発射装置１５は、発射装置１５の動作に連動してファール球払い部材７７を移動可能としている。具体的に説明すると、第２実施形態における発射装置１５は、図１８に示すように、球発射口６２の開口上縁に短冊状のファール球払い部材７７を上面がファール球回収口２７側へ向けて下り傾斜する状態、且つ上面の下り傾斜方向に沿って摺動可能な状態で備え、ファール球払い部材７７の傾斜上端部（球発射口６２を挟んで回収側端部とは反対側に位置する端部）を発射カム７４の前方に配置し、この傾斜上端部にはピン形状の球払いカムフォロワ８７を設けている。また、発射カム７４の前面（透明部材保持枠９側に向いた前面）には、発射装置１５の正面から見て楕円リング状を呈する球払いカム溝８８を形成し、球払いカム溝８８に球払いカムフォロワ８７を遊嵌している。さらに、球払いカム溝８８の楕円中心（楕円の長軸と短軸との交点）を発射カム７４の回動中心（言い換えると発射モータ７３の出力軸７３ａ）から外して位置させ、球払いカム溝８８内の球払いカムフォロワ８７と発射カム７４の回動中心との離間距離（カム溝離間距離）ｄ３が発射カム７４の回動に伴って変化するように構成されている。
【００４９】
このような構成の球払いカムフォロワ８７および球払いカム溝８８を発射装置１５に備え、発射カム７４が回動して杵カムフォロワ６４ｅがカム７４ａの最高点に到達した後にカム７４ａから離れ、発射杵６４が遊技球発射位置Ｓ上の遊技球を弾発すると、カム溝離間距離ｄ３が最も短くなってファール球払い部材７７が発射ケース６１内に引き入れられる（図１８（ａ）参照）。この結果、ファール球払い部材７７は、発射レール２３の延長線ＲＬとファール球払い部材７７の回収側端部との離間距離ｄ２を遊技球が１個通過可能な間隔（例えば、遊技球の直径よりも広く且つ遊技球の直径の１．５倍よりも狭い間隔）に設定して遊技球発射許容状態に変換する。また、発射カム７４がさらに回動して、弾発動作後の発射杵６４の杵カムフォロワ６４ｅと発射カム７４とが再び当接してカム７４ａが杵カムフォロワ６４ｅを再び押圧し始めると、カム溝離間距離ｄ３が最も長くなってファール球払い部材７７が発射ケース６１内から押し出される（図１８（ｂ）参照）。この結果、ファール球払い部材７７は、発射レール２３の延長線ＲＬとファール球払い部材７７の回収側端部との離間距離ｄ２を遊技球が１個通過不能な間隔（遊技球の直径よりも狭い間隔）に設定してファール球戻り阻止状態に変換する。したがって、遊技球の発射タイミング（遊技球が発射杵６４で弾発されてから球発射口６２を通過するまでのタイミング）から外れた時点において、ファール球が発射レール２３上に侵入する不都合を十分に阻止することができる。そして、遊技球の発射タイミングにおいては、遊技球の発射がファール球払い部材７７によって邪魔されてしまう虞がない。
【００５０】
一方、第３実施形態における発射装置１５は、図１９に示すように、一端（下端）にファール球払い部材７７が設けられた回動アーム９１を発射ケース６１のうち球発射口６２の上方に軸着し、該回動アーム９１の他端（上端）と発射杵６４の杵回動ストッパー６４ｄとを連結ロッド９２で連結して、該連結ロッド９２により発射杵６４の回動力を回動アーム９１へ伝達可能としている。そして、発射カム７４が回動して杵カムフォロワ６４ｅがカム７４ａの最高点に到達した後にカム７４ａから離れ、発射杵６４が遊技球発射位置Ｓ上の遊技球を弾発すると、杵回動ストッパー６４ｄの回動力により連結ロッド９２および回動アーム９１の他端（上端）が発射杵６４の回動軸６４ａ側（図１９（ａ）中、右側）に引き込まれて回動アーム９１が軸着箇所を中心にして回動し、ファール球払い部材７７が球発射口６２の上方へ向けて移動する（図１９（ａ）参照）。この結果、ファール球払い部材７７は、発射レール２３の延長線ＲＬとファール球払い部材７７の回収側端部との離間距離ｄ２を遊技球が１個通過可能な間隔（例えば、遊技球の直径よりも広く且つ遊技球の直径の１．５倍よりも狭い間隔）に設定して遊技球発射許容状態に変換する。
【００５１】
また、発射カム７４がさらに回動して、弾発動作後の発射杵６４の杵カムフォロワ６４ｅと発射カム７４とが再び当接してカム７４ａが杵カムフォロワ６４ｅを再び押圧し始め、発射杵６４の杵先６４ｃが遊技球発射位置Ｓから後退すると、杵回動ストッパー６４ｄの回動力により連結ロッド９２および回動アーム９１の他端（上端）が発射カム７４を挟んで発射杵６４とは反対側（図１９（ｂ）中、左側）に押し込まれて回動アーム９１が軸着箇所を中心にして回動し、ファール球払い部材７７が下方に回動して球発射口６２の開口上縁に移動する（図１９（ｂ）参照）。この結果、ファール球払い部材７７は、発射レール２３の延長線ＲＬとファール球払い部材７７の回収側端部との離間距離ｄ２を遊技球が１個通過不能な間隔（遊技球の直径よりも狭い間隔）に設定してファール球戻り阻止状態に変換する。したがって、第３実施形態の発射装置１５においても、遊技球の発射タイミング（遊技球が発射杵６４で弾発されてから球発射口６２を通過するまでのタイミング）から外れた時点において、ファール球が発射レール２３上に侵入する不都合を十分に阻止することができる。また、遊技球の発射タイミングにおいては、遊技球の発射がファール球払い部材７７によって邪魔されてしまう虞がない。
【００５２】
ところで、上記各実施形態および各変形例では、発射杵６４をばねの付勢力により回動して遊技球を弾発する発射装置１５を挙げたが、本発明はこれに限定されない。例えば、発射杵をモータやソレノイドの駆動力により駆動（回動または直動）して遊技球を発射する発射装置であってもよい。さらに、発射装置１５に発射レール２３およびファール球払い部材７７を備えたが、本発明ではこれに限定されず、発射装置とは別個に発射レールおよびファール球払い部材を備えてもよい。例えば、発射装置の側方に発射レールを配置して遊技球（遊技球発射位置Ｓから発射される遊技球）を発射通路へ誘導可能とし、発射装置とは別個にファール球払い部材を配置し、該ファール球払い部材により発射レールの傾斜上端を上方から覆ってもよい。
【００５３】
また、上記実施形態では、代表的な遊技機であるパチンコ遊技機を例にして説明したが、本発明はこれに限らず、遊技領域が前面に区画形成された遊技盤を前面枠に対して着脱可能とし、前面枠には、遊技盤よりも下方の位置から遊技球を発射可能な発射装置と、該発射装置から発射される遊技球を遊技盤側へ向けて斜め上方へ誘導する発射レールと、を備え、遊技盤には、発射レールにより誘導されてきた遊技球を遊技領域へ案内可能な発射通路を備えた遊技機であればどのような遊技機でもよい。例えば、封入球式パチンコ機、アレンジボール式遊技機、雀球式遊技機等の遊技機であってもよい。
【００５４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５５】
１  パチンコ遊技機
３  前面枠
４  前面枠本体
５  遊技領域
６  遊技盤
７  発射通路
９  透明部材保持枠
１１  上皿
１２  下皿ユニット
１４  下皿
１５  発射装置
２３  発射レール
２３ａ  レール溝
２５  ファール流路形成パネル
２６  ファール流路
２７  ファール球回収口
３５  球払出口
３７  球誘導樋
３８  貯留誘導路
４０  オーバーフロー流路
５１  球受部材
５４  球受面
５５  球受段差部
５６  飛び出し防止壁
５７  球回収誘導路
５９  球受収容空部
６１  発射ケース
６１ａ  発射ベース
６１ｂ  発射カバー
６２  球発射口
６４  発射杵
６５  発射駆動機構
７３  発射モータ
７４  発射カム
７６  ファール球衝突壁
７７  ファール球払い部材
７７ａ  誘導溝
８０  上方移動規制部
８２  落下球転動路
８２ａ  転動溝
８３  落下球回収受部
８７  球払いカムフォロワ
８８  球払いカム溝
９１  回動アーム
９２  連結ロッド
【図１】
0005555850.tif 000002
【図２】
0005555850.tif 000003
【図３】
0005555850.tif 000004
【図４】
0005555850.tif 000005
【図５】
0005555850.tif 000006
【図６】
0005555850.tif 000007
【図７】
0005555850.tif 000008
【図８】
0005555850.tif 000009
【図９】
0005555850.tif 000010
【図１０】
0005555850.tif 000011
【図１１】
0005555850.tif 000012
【図１２】
0005555850.tif 000013
【図１３】
0005555850.tif 000014
【図１４】
0005555850.tif 000015
【図１５】
0005555850.tif 000016
【図１６】
0005555850.tif 000017
【図１７】
0005555850.tif 000018
【図１８】
0005555850.tif 000019
【図１９】
0005555850.tif 000020